(57)【要約】【課題】本発明は、床スラブに関し、梁間の距離が比較的長いリブ付きの床スラブにおいて、設備配管の設計の自由度を高めることと、天井空間を小スペースにして、天井を高くして、梁下の制約も低減させることが課題である。        【解決手段】リブ付きの床スラブにおいて、該床スラブ１を支持する梁に近接した支承部では、前記リブ２，２間に配設された配管４が当該リブ２の下を横切れるようにリブ２の突出量が低くされ、若しくは、該リブ２が設けられていない床スラブ１とする。【選択図】図１
2006233489.tif 000002
【特許請求の範囲】
【請求項１】
リブ付きの床スラブにおいて、該床スラブを支持する梁に近接した支承部では、前記リブ間に配設された配管が当該リブの下を横切れるようにリブの突出量が低くされ、若しくは、該リブが設けられていないこと、
を特徴とする床スラブ。
【請求項２】
支承部には、段差リブが設けられていること、
を特徴とする請求項１に記載の床スラブ。
【発明の詳細な説明】
【技術分野】
【０００１】
本発明は、例えば、リブ付き床スラブとそれに付帯させる設備配管との関係を改善した床スラブに関するものである。
【背景技術】
【０００２】
従来、集合住宅・駐車場・倉庫等における大型床スラブに給排水配管・配線等の設備配管を敷設するには、図５（Ｂ）に示すように、上階の床スラブに吊り金具等を吊持させて配管し、天井内に収めている。また、床スラブを支持する梁に、前記設備配管を通す場合には、当該梁に貫通孔を設けて挿通させ、住居部分を逆梁構造にして共有部分で梁上に床ズラブを配置して配管を引き回して集合させ、更に上下階に貫通する縦樋の配管路に接続されるものが知られている（特許文献１、２参照）。
【特許文献１】特開２００２−２２０８９８号公報
【特許文献２】特開２００１−０４０８１１号公報
【発明の開示】
【発明が解決しようとする課題】
【０００３】
しかし、大型床スラブでは梁間が長いので補強用のリブが設けられ、そこに設備配管を敷設すると、図５（Ａ）に示すように、前記リブ２の間に配管しても床スラブ１０の厚さが一定なので、床端部においてはリブ２の下に設備配管４を配管して、梁３に貫通させることになる。
【０００４】
それにより、設備配管４の径と設置・収まり高さとの分だけ広い天井空間１１が必要である。よって、階高が一定の場合に、天井１２の位置が低くなる。この天井１２を居住性を高めるために高くすると、階高が高くなってコストが嵩む。また、前記梁３においては、配管４がリブ２の下を通って貫通させるので配管４の位置が低くなり、それに伴って梁成を低減することができない。
【０００５】
かかる場合に、梁３下の開口が小さくなり、採光を広くして快適性が高まる大型のサッシ等を設けることができなくなる。このように、大型の床スラブにおいては、設備配管に関連して居住性とコストとに、解決すべき課題がある。本発明に係る床スラブは、このような課題を解決するために提案されたものである。
【課題を解決するための手段】
【０００６】
本発明に係る床スラブの上記課題を解決して目的を達成するための要旨は、リブ付きの床スラブにおいて、該床スラブを支持する梁に近接した支承部では、前記リブ間に配設された配管が当該リブの下を横切れるようにリブの突出量が低くされ、若しくは、該リブが設けられていないことである。
また、前記支承部には、段差リブが設けられていることを含むものである。
【発明の効果】
【０００７】
本発明の床スラブによれば、比較的長いスパンの梁間に架設される床スラブに、Ｔ字型リブ、若しくは、逆Ｔ字型リブ等のリブを設けると共に、該床スラブを支持する梁に近接した支承部では、前記リブ間に配設された配管が当該リブの下を横切れるようにリブの突出量が低くされ、若しくは、該リブが設けられていないので、前記リブ間に配設された設備配管をリブを横切って、直交方向に引き回すことができる。よって、リブ間に設備配管を配設できるので、上下方向において配管スペースを小さくして天井空間を低くすることができる。そして、天井が高くなり、居住性が向上する。
また、支承部の近傍においては、設備配管を自由に配置することができて設計の自由度が増す。そして、リブ間の設備配管を直交方向に曲げるなどして、同種の設備配管を任意に集結させたり、梁貫通部分を減少させたりすることができる。これにより、コストの低減となる。
更に、設備配管をリブ間に配置することで、その設備配管の位置が高くなるので、梁の設備配管が貫通する貫通位置を高く設定できる。よって、梁の成を低減することが出来るようになり、梁下の制約が軽減されて、例えば、大型のサッシ等を設けることができるようになり、居住性及び快適性が向上する。
前記支承部における段差リブにより、床ズラブの強度を確保して上部の床との位置ズレを防止する。
【発明を実施するための最良の形態】
【０００８】
本発明に係る床スラブは、例えば、集合住宅や倉庫等のような比較的大きな床スラブであり、図１に示すように、床スラブ１に、Ｔ型リブ２を設ける。このリブ２には、例えば、その長手方向に埋設されたピアノ線やＰＣ鋼線等によりプレストレスが付与される。また、実際の施工においては、位置例として、ハーフＰＣ板１ａが梁間に架設され、その上に現場打ちでコンクリートが打設されて床１ｂが形成される。
【０００９】
前記床スラブ１の中央部の断面は、図１（Ａ）のようになるが、その長手方向の梁近傍における支承部、即ち、床スラブ１の端部では、図２（Ａ）に示すように、前記リブ２が全く無くなっている場合と、図２（Ｂ）に示すように、下面と上面とに少しの量だけ突出したリブが形成された段差リブ１ｃとなっている場合とがある。このように、大型の床スラブ１において、その中央部には下に突出したリブ２を有し、梁に架設される支承部では、リブ２が設けられていないもの、若しくは、少量突出したリブだけとするものである。
【００１０】
このようにして、床スラブ１の端部で、梁３に架設する支承部の厚さを低減することで、図３（Ｂ）に示すように、設備配管４を前記リブ２，２の間に配設することができる。この設備配管４を、リブ２の下に配設する必要がないので、設備配管４自体が床面から高い位置に配置され、上下方向において、配管スペースが小さくなって天井の懐を低くすることができる、逆に言うと天井を高くできるのである。また、前記設備配管４を梁３に貫通させる位置が高く設定され、梁貫通孔位置による当該梁３の梁成が制約されない。
【００１１】
図３（Ａ），（Ｃ）に示すように、前記端部において、リブ２が低くなり、若しくは、無いので、リブ２に沿って架設方向（長手方向）に併設された設備配管４を、直交する方向に屈曲させて設備配管４ａとすることができる。これにより、同種の設備配管４を集結させたり、縦管（図示せず）に接続させたりすることができる。このように、床スラブ１の端部で、設備配管４の配置を自由に設計することができる。
【００１２】
なお、床スラブ１においては、図１（Ｂ）に示すように、リブ２が上に配設された逆Ｔ型リブ２ａの場合もある。この場合には、図４に示すように、ハーフＰＣ板１ａを梁間に架設し、その上に床となるＰＣ板１ｄを敷設するものである。設備配管４は、床スラブの下に配設されるほか、例えば、前記床１ｄとハーフＰＣ板１ａとの間にできる空間部５に、設備配管４が配設される場合がある。この場合にも、支承部において、設備配管４を直交方向に屈曲させることができる。また、逆Ｔ型リブ２ａなので、ハーフＰＣ板１ａの下面に凹凸が無く、部屋の間仕切りの設置及びその変更が容易である。
【図面の簡単な説明】
【００１３】
【図１】本発明に係る床スラブ１の構造を示す、中央部分での断面図（Ａ），（Ｂ）である。
【図２】同本発明の床スラブ１における支承部である架設方向の端部における断面図（Ａ），（Ｂ）である。
【図３】同床スラブ１の架設方向における端部で設備配管４を配設した状態の断面図（Ａ）と、それに直交する方向の中央部の断面図（Ｂ）と端部の断面図（Ｃ）とである。
【図４】逆Ｔ型リブ２ａの場合の床スラブ１における、端部の架設方向に沿った断面図である。
【図５】従来例の床スラブ１０の設備配管４の配設の様子を示す断面図（Ａ）と、Ａ−Ａ線に沿った断面図（Ｂ）とである。
【符号の説明】
【００１４】
１          床スラブ、                  １ａ              ハーフＰＣ板、
１ｂ        床、                        １ｃ              段差リブ、
１ｄ        ＰＣ板、
２          Ｔ型リブ、                  ２ａ              逆Ｔ型リブ、
３          梁、
４          設備配管、                  ４ａ              直交方向の設備配管、
５          空間部、
１０        従来の床スラブ、
１１        天井空間、
１２        天井。
【図１】
2006233489.tif 000003
【図２】
2006233489.tif 000004
【図３】
2006233489.tif 000005
【図４】
2006233489.tif 000006
【図５】
2006233489.tif 000007